(57)【要約】      （修正有）【課題】２方向クラッチの係合および解除を電磁クラッチで制御する回転伝達装置のコストの低減を図る。【解決手段】電磁クラッチ５０によって係合および係合解除が制御される２方向クラッチ１０の保持器１６を制御保持器１６Ａと回転保持器１６Ｂとで形成し、制御保持器１６Ａと回転保持器１６を柱部２８、３４が周方向に交互に並ぶ組み合わせとして、隣接する柱部２８、３４間にポケットを形成し、ポケット内に組み込まれた一対のローラ１５が制御保持器１６Ａと回転保持器１６Ｂの相対回転により柱部２８、３４で押されて係合解除位置まで変位されるようにする。制御保持器１６Ａおよび回転保持器１６Ｂの保持器本体２２、３０および柱部２８、３４をプレス成形品として、コストの低減を図ると共に、柱部２８、３４を左右対称の断面形状として、制御保持器１６Ａおよび回転保持器１６Ｂの柱部の共通化を図り、部品点数を低減する。【選択図】図２
2016044748.tif 000002
【特許請求の範囲】
【請求項１】
入力軸と、その入力軸と同軸上に配置された出力軸の相互間において回転の伝達と遮断とを行なう２方向クラッチおよびその２方向クラッチの係合および解除を制御する電磁クラッチを有し、
前記２方向クラッチが、前記出力軸の軸端部に設けられた外輪の内周と前記入力軸の軸端部に設けられた内輪の外周間に、制御保持器および回転保持器のそれぞれに設けられた柱部が周方向に交互に配置されるよう組込み、隣接する柱部間に形成されたポケット内に前記外輪の内周および内輪の外周に対して係合可能な一対の係合子と、その一対の係合子を離反する方向に付勢する弾性部材とを組込んだ構成とされ、
前記電磁クラッチが、前記制御保持器に連結されたアーマチュアと、そのアーマチュアと軸方向で対向するロータと、そのロータに対向配置された電磁石を有し、その電磁石に対する通電により制御保持器を軸方向に移動させ、その軸方向への移動を運動変換機構によって制御保持器と回転保持器をポケットの周方向幅が小さくなる方向の相対回転運動に変換して一対の係合子を係合解除させるようにした回転伝達装置において、
前記制御保持器が、前記アーマチュアに対する連結部が設けられた環状板のプレス成形品からなる保持器本体と、前記環状板に端部が接合一体化されたプレス成形品からなる複数の柱部を有しており、
前記回転保持器が、環状板のプレス成形品からなる保持器本体と、前記環状板に端部が接合一体化されたプレス成形品からなる柱部を有しており、
前記制御保持器および前記回転保持器の柱部の断面形状を左右対称として柱部を共通部品としたことを特徴とする回転伝達装置。
【請求項２】
前記制御保持器が、前記環状板の外周に複数の連結片が放射状に設けられ、その連結片の外周囲に前記アーマチュアに対する連結用の円筒部が設けられ、前記連結片のそれぞれに柱部を接合してなり、前記回転保持器が、前記環状板の外周に複数の連結片が放射状に設けられ、前記連結片のそれぞれに柱部を接合した請求項１に記載の回転伝達装置。
【請求項３】
前記制御保持器および前記回転保持器における保持器本体が、柱部を接合する前段で熱処理して表面を硬化した請求項１又は２に記載の回転伝達装置。
【請求項４】
前記熱処理が、浸炭焼入れ、ズブ焼入れ、窒化処理の一種からなる請求項３に記載の回転伝達装置。
【発明の詳細な説明】
【技術分野】
【０００１】
この発明は、回転の伝達と遮断の切換えを行なうことができるようにした回転伝達装置に関する。
【背景技術】
【０００２】
駆動軸から従動軸への回転の伝達と遮断とを行う回転伝達装置として、２方向クラッチを有し、その２方向クラッチの係合および解除を電磁クラッチにより制御するようにしたものが従来から知られている。
【０００３】
特許文献１に記載された回転伝達装置においては、外輪とその内側に組み込まれた内輪との間に制御保持器に設けられた複数の柱部と回転保持器に設けられた複数の柱部が周方向で交互に配置されるよう組込み、隣接する柱部間に形成されたポケット内に対向一対のローラを組込み、その一対のローラを、その対向部間に組み込まれた弾性部材で離反する方向に付勢して、外輪の内周に形成された円筒面と内輪の外周に形成されたカム面に係合する位置にスタンバイさせ、上記内輪の一方向への回転により一方のローラを円筒面およびカム面に係合させ、内輪の回転を外輪に伝達するようにしている。
【０００４】
また、内輪に接続された入力軸上に電磁クラッチを設け、その電磁クラッチの電磁コイルに対する通電により制御保持器を軸方向に移動させ、その制御保持器のフランジと回転保持器のフランジの対向面間に設けられたトルクカムの作用によりポケットの周方向幅が小さくなる方向に制御保持器と回転保持器とを相対回転させて、各保持器の柱部で一対のローラを係合解除位置まで移動させ、内輪から外輪への回転伝達を遮断するようにしている。
【０００５】
上記回転伝達装置においては、電磁クラッチの電磁コイルに対する通電を解除すると、対向一対のローラ間に組み込まれた弾性部材の押圧作用により制御保持器と回転保持器とがポケットの周方向幅が大きくなる方向に相対回転して対向一対のローラが円筒面およびカム面に当接するスタンバイ状態に保持されるため、内輪の回転によりローラが円筒面およびカム面に直ちに係合することになり、回転方向ガタがきわめて小さく、応答性に優れているという特徴を有している。
【０００６】
ところで、制御保持器および回転保持器のそれぞれが削り出しによるものであると、製作に手間がかかり、コストも高くなる。そのような不都合を解消するため、特許文献２に記載された回転伝達装置においては、制御保持器および回転保持器のそれぞれをプレス成形品としている。
【先行技術文献】
【特許文献】
【０００７】
【特許文献１】特開２００９−２９３６７９号公報
【特許文献２】特開２０１３−２０４７６４号公報
【発明の概要】
【発明が解決しようとする課題】
【０００８】
ところで、上記特許文献２に記載された回転伝達装置においては、制御保持器および回転保持器を、プレス成形された保持器本体に対してプレス成形された柱部を接合一体化しているが、柱部が断面形状において左右非対称であるため、制御保持器用の柱部と回転保持器用の柱部の２種類の柱部を必要とし、コストを低減する上において改善すべき点が残されている。
【０００９】
この発明の課題は、入力軸から出力軸への回転の伝達と遮断を行なう２方向クラッチを有し、その２方向クラッチの係合および解除を電磁クラッチにより制御するようにした回転伝達装置のコストの低減を図ることである。
【課題を解決するための手段】
【００１０】
上記の課題を解決するため、この発明においては、入力軸と、その入力軸と同軸上に配置された出力軸の相互間において回転の伝達と遮断とを行なう２方向クラッチおよびその２方向クラッチの係合および解除を制御する電磁クラッチを有し、前記２方向クラッチが、前記出力軸の軸端部に設けられた外輪の内周と前記入力軸の軸端部に設けられた内輪の外周間に、制御保持器および回転保持器のそれぞれに設けられた柱部が周方向に交互に配置されるよう組込み、隣接する柱部間に形成されたポケット内に前記外輪の内周および内輪の外周に対して係合可能な一対の係合子と、その一対の係合子を離反する方向に付勢する弾性部材とを組込んだ構成とされ、前記電磁クラッチが、前記制御保持器に連結されたアーマチュアと、そのアーマチュアと軸方向で対向するロータと、そのロータに対向配置された電磁石を有し、その電磁石に対する通電により制御保持器を軸方向に移動させ、その軸方向への移動を運動変換機構によって制御保持器と回転保持器をポケットの周方向幅が小さくなる方向の相対回転運動に変換して一対の係合子を係合解除させるようにした回転伝達装置において、前記制御保持器が、前記アーマチュアに対する連結部が設けられた環状板のプレス成形品からなる保持器本体と、前記環状板に端部が接合一体化されたプレス成形品からなる複数の柱部を有しており、前記回転保持器が、環状板のプレス成形品からなる保持器本体と、前記環状板に端部が接合一体化されたプレス成形品からなる柱部を有しており、前記制御保持器および前記回転保持器の柱部の断面形状を左右対称として柱部を共通部品とした構成を採用したのである。
【００１１】
上記のように、制御保持器および回転保持器のそれぞれをプレス成形された保持器本体と同じくプレス成形された柱部の結合組立品とし、その柱部の断面形状を左右対称とすることによって、柱部を制御保持器および回転保持器の共通部品とすることができ、部品点数の低減によってコストの低減を図ることができる。
【００１２】
ここで、柱部と保持器本体の接合には、溶接、拡散接合、接着、圧入等の方法を採用することができる。
【００１３】
また、制御保持器および回転保持器における保持器本体を、柱部を接合する前段で熱処理することにより、柱部の熱処理変形を考慮することなく保持器本体の硬度を高めて耐久性の向上を図ることができる。上記熱処理として、浸炭焼入れ、ズブ焼入れ、窒化処理を採用することができる。
【発明の効果】
【００１４】
この発明においては、上記のように、制御保持器の保持器本体および柱部ならびに回転保持器の保持器本体および柱部のそれぞれをプレス成形品としたことにより、削り出しによって形成する場合に比較して製作が容易であってコストの低減を図ることができると共に、柱部を左右対称の断面形状として制御保持器および回転保持器の共通部品としたことにより、部品点数を低減し、コストをさらに低減することができる。
【図面の簡単な説明】
【００１５】
【図１】この発明に係る回転伝達装置の実施の形態を示す縦断面図
【図２】図１の制御保持器および回転保持器の組み込み部を拡大して示す断面図
【図３】図２のIII−III線に沿った断面図
【図４】図３に示すローラの係合解除状態を示す断面図
【図５】図２のV−V線に沿った断面図
【図６】図５のVI−VI線に沿った断面図
【図７】図２のVII−VII線に沿った断面図
【図８】（ａ）は図７のVIII−VIII線に沿った断面図、(ｂ)は作動状態を示す断面図
【図９】制御保持器の分解斜視図
【図１０】回転保持器の分解斜視図
【発明を実施するための形態】
【００１６】
以下、この発明の実施の形態を図面に基づいて説明する。図１は、この発明に係る回転伝達装置の実施の形態を示す。図示のように、回転伝達装置は、入力軸Ｓ１と、その入力軸Ｓ１と同軸上に配置された出力軸Ｓ２と、その両軸の軸端部を覆うハウジング１と、そのハウジング１内に組み込まれて入力軸Ｓ１から出力軸Ｓ２への回転の伝達と遮断とを行なう２方向クラッチ１０およびその２方向クラッチ１０の係合、解除を制御する電磁クラッチ５０とからなる。
【００１７】
ハウジング１は円筒状をなし、その一端部には小径の軸受筒２が設けられ、他端部内周には電磁クラッチ５０を抜止めする止め輪３が取付けられている。
【００１８】
図１および図２に示すように、２方向クラッチ１０は、出力軸Ｓ２の軸端部に設けられた外輪１１の内周に円筒面１２を設け、入力軸Ｓ１の軸端部に設けられた内輪１３の外周に複数のカム面１４を周方向に形成し、その複数のカム面１４のそれぞれと円筒面１２間に一対の係合子としてのローラ１５と弾性部材２１（図３参照）とを組込み、そのローラ１５を保持器１６で保持し、上記内輪１３の一方向への回転により一対のローラ１５の一方を円筒面１２およびカム面１４に係合させて内輪１３の回転を外輪１１に伝達し、また、内輪１３の他方向への回転時に他方のローラ１５を円筒面１２およびカム面１４に係合させて内輪１３の回転を外輪１１に伝達するようにしている。
【００１９】
ここで、外輪１１の閉塞端部の内面側には小径の凹部１８が形成され、その凹部１８内に組み込まれた軸受１９によって入力軸Ｓ１の軸端部が回転自在に支持されている。
【００２０】
内輪１３は入力軸Ｓ１に一体に形成されている。その内輪１３の外周に形成されたカム面１４は、図３に示すように、相反する方向に傾斜する一対の傾斜面１４ａ、１４ｂから形成されて外輪１１の円筒面１２との間に周方向の両端が狭小のくさび形空間を形成しており、上記一対の傾斜面１４ａ、１４ｂ間には内輪１３の接線方向に向く平坦面２０が設けられ、その平坦面２０によって弾性部材２１が支持されている。
【００２１】
弾性部材２１はコイルばねからなる。この弾性部材２１は一対のローラ１５間に配置される組込みとされ、その弾性部材２１で一対のローラ１５は離反する方向に付勢されて、円筒面１２およびカム面１４に係合するスタンバイ位置に配置されている。
【００２２】
保持器１６は、制御保持器１６Ａと、回転保持器１６Ｂとからなる。図２および図９に示すように、制御保持器１６Ａは、保持器本体２２と、カム面１４と同数の柱部２８とからなる。ここでは、３本の柱部２８を有している。保持器本体２２は、環状板２３の外周にカム面１４と同数の連結片２４が放射状の配置で設けられ、その連結片２４の外周囲に円筒部２５が設けられた金属板のプレス成形品からなり、上記連結片２４間において環状板２３の外周と円筒部２５の内周間に円弧状の長孔２６が設けられている。また、複数の連結片２４のそれぞれに嵌合孔２７が形成されている。
【００２３】
柱部２８は、断面扇形とされて左右対称とされ、その一端部に挿入片２９が設けられてプレス成形により形成されている。柱部２８の挿入片２９は連結片２４に設けられた上記嵌合孔２７に嵌合され、接合により一体化されて制御保持器１６Ａを形成している。柱部２８の接合に際し、ここでは、溶接する方法を採用しているが、拡散接合してもよく、接着してもよい。あるいは、圧入してもよい。
【００２４】
図２および図１０に示すように、回転保持器１６Ｂは、保持器本体３０と、カム面１４と同数の柱部３４とからなる。この実施の形態では３本の柱部３４を有しているが、図１０では１本の柱部３１のみを図示し、残りの２本は省略している。保持器本体３０は、環状板３１の外周にカム面１４と同数の連結片３２が放射状に設けられた金属板のプレス成形品からなり、上記連結片３２のそれぞれに嵌合孔３３が設けられている。
【００２５】
柱部３４は、制御保持器１６Ａにおける柱部２８と同一形状で同一大きさのプレス成形品とされて、制御保持器１６Ａの柱部２８と共通の部品とされており、その一端部に設けられた挿入片３５が連結片３２の嵌合孔３３に嵌合され、接合により一体化されて回転保持器１６Ｂを形成している。柱部３４の接合に際しては、制御保持器１６Ａにおける柱部２８の接合と同様に、溶接する方法、拡散接合する方法、接着する方法、圧入する方法を採用することができる。
【００２６】
制御保持器１６Ａと回転保持器１６Ｂは、図２および図７に示すように、制御保持器１６Ａの長孔２６内に回転保持器１６Ｂの柱部３４が挿入されて、その柱部２８、３４が周方向に交互に並ぶ組み合わせとされている。そして、その組み合わせ状態で柱部２８、３４の先端部が外輪１１と内輪１３間に配置され、制御保持器１６Ａの環状板２３および回転保持器１６Ｂの環状板３１が入力軸Ｓ１の外周に嵌合された支持リング３６と外輪１１間に位置する組込みとされている。
【００２７】
上記のような保持器１６Ａ、１６Ｂの組込みによって、図３および図４に示すように、制御保持器１６Ａの柱部２８と回転保持器１６Ｂの柱部３４間にポケット３７が形成され、そのポケット３７は内輪１３のカム面１４と径方向で対向し、各ポケット３７内に対向一対のローラ１５および弾性部材２１が組込まれている。
【００２８】
図２に示すように、制御保持器１６Ａの環状板２３および回転保持器１６Ｂの環状板３１は入力軸Ｓ１の外周に形成されたスライド案内面３８に沿ってスライド自在に支持され、上記回転保持器１６Ｂの環状板３１と入力軸Ｓ１の支持リング３６間にスラスト軸受３９が組み込まれている。
【００２９】
図２、図７および図８に示すように、制御保持器１６Ａの環状板２３と回転保持器１６Ｂの環状板３１間には、運動変換機構としてのトルクカム４０が設けられている。トルクカム４０は、制御保持器１６Ａの環状板２３と回転保持器１６Ｂの環状板３１の対向面それぞれに周方向の中央部で深く両端に至るに従って次第に浅くなる対向一対のカム溝４１、４２を設け、一方のカム溝４１の一端部と他方のカム溝４２の他端部間にボール４３を組み込んだ構成としている。
【００３０】
カム溝４１、４２として、ここでは円弧状の溝を示したが、Ｖ溝であってもよい。
【００３１】
上記トルクカム４０は、制御保持器１６Ａの環状板２３が回転保持器１６Ｂの環状板３１に接近する方向に制御保持器１６Ａが軸方向に移動した際に、図８（ａ）に示すように、ボール４３がカム溝４１、４２の溝深さの最も深い位置に向けて転がり移動し、制御保持器１６Ａと回転保持器１６Ｂをポケット３７の周方向幅が小さくなる方向に相対回転させるようになっている。
【００３２】
ここで、制御保持器１６Ａおよび回転保持器１６Ｂが単なるプレス成形品であると、カム溝４１、４２の表面硬度が低く、ボール４３の噛み込みによって変形し、損傷する可能性がある。そこで、カム溝４１、４２の表面を熱処理により硬度を高めるのがよいが、制御保持器１６Ａおよび回転保持器１６Ｂを組み立て状態で熱処理すると、熱影響によって柱部２８、３４が変形する可能性がある。
【００３３】
そのような不都合の発生を防止するため、制御保持器１６Ａおよび回転保持器１６Ｂにおける保持器本体２２、３０を、柱部２８、３４を接合する前段で熱処理して、カム溝４１、４２の硬度を高め、熱処理後、保持器本体２２、３０に柱部２８、３４を接合している。熱処理は、浸炭焼入れ、ズブ焼入れ、窒化処理のいずれでもよい。なお、柱部２８、３４はプレス成形品のままで焼入れは施さず、低コスト化を図っている。
【００３４】
図５および図６に示すように、内輪１３の他側面には円筒面４５が形成されている。円筒面４５はスライド案内面３８より大径とされ、その円筒面４５に環状の保持プレート４６が嵌合されて内輪１３に固定されている。保持プレート４６の外周面には制御保持器１６Ａの柱部２８と回転保持器１６Ｂの柱部３４間の各ポケット３７内に配置される複数の回り止め片４７が形成されている。
【００３５】
複数の回り止め片４７は、制御保持器１６Ａと回転保持器１６Ｂとがポケット３７の周方向幅を縮小する方向に相対回転した際に、制御保持器１６Ａの柱部２８および回転保持器１６Ｂの柱部３４を両側縁で受け止めて対向一対のローラ１５を中立位置に保持するようになっている。
【００３６】
保持プレート４６の外周部には複数の弾性部材２１のそれぞれ外径側に張り出すばね押えアーム４８が設けられ、そのばね押えアーム４８によって弾性部材２１は一対のローラ１５間より外径側に逃げ出るのが防止されている。
【００３７】
図１に示すように、電磁クラッチ５０は、制御保持器１６Ａに形成された円筒部２５の端面と軸方向で対向するアーマチュア５１と、そのアーマチュア５１と軸方向で対向するロータ５２と、そのロータ５２と軸方向で対向する電磁石５３とを有している。
【００３８】
アーマチュア５１は、支持リング３６の外周に嵌合されて回転自在に、かつ、スライド自在に支持され、そのアーマチュア５１の外周部に設けられた連結筒５５の内径面に制御保持器１６Ａの円筒部２５が圧入されて制御保持器１６Ａとアーマチュア５１が連結一体化されている。その連結によってアーマチュア５１は、支持リング３６の円筒状外径面５４と入力軸Ｓ１の外周のスライド案内面３８の軸方向の２箇所においてスライド自在の支持とされる。
【００３９】
ここで、支持リング３６は、図２に示すように、入力軸Ｓ１のスライド案内面３８の軸方向他側に形成された段部４４によって軸方向に位置決めされている。
【００４０】
図１に示すように、ロータ５２は、外筒部５２ａおよび内筒部５２ｂを有し、その内筒部５２ｂが入力軸Ｓ１に嵌合され、上記支持リング３６との間に組み込まれたシム５６によって軸方向に位置決めされ、かつ、入力軸Ｓ１に対して回り止めされている。
【００４１】
電磁石５３は、電磁コイル５３ａと、その電磁コイル５３ａを支持するコア５３ｂとからなり、上記コア５３ｂはハウジング１の他端開口内に嵌合され、ハウジング１の他端部開口内に取付けた止め輪３によって抜止めされている。また、コア５３ｂは入力軸Ｓ１に嵌合された軸受５７を介して入力軸Ｓ１と相対的に回転自在とされている。
【００４２】
実施の形態で示す回転伝達装置は上記の構造からなり、図２および図３は、２方向クラッチ１０のローラ１５が円筒面１２およびカム面１４に係合している状態を示す。その２方向クラッチ１０の係合状態で、電磁クラッチ５０の電磁コイル５３ａに通電すると、アーマチュア５１に吸引力が作用し、アーマチュア５１が軸方向に移動してロータ５２に吸着される。
【００４３】
ここで、アーマチュア５１は制御保持器１６Ａに連結一体化されているため、アーマチュア５１の軸方向への移動に伴って制御保持器１６Ａは、その環状板２３が回転保持器１６Ｂの環状板３１に接近する方向に移動する。
【００４４】
このとき、図８（ｂ）に示すボール４３が図８(ａ)に示すように、カム溝４１、４２の溝深さの最も深い位置に向けて転がり移動し、制御保持器１６Ａと回転保持器１６Ｂはポケット３７の周方向幅が小さくなる方向に相対回転し、図３に示す対向一対のローラ１５が制御保持器１６Ａの柱部２８と回転保持器１６Ｂの柱部３４で押されて互いに接近する方向に移動する。
【００４５】
このため、ローラ１５は、図４に示すように、円筒面１２およびカム面１４に対して係合解除する中立位置に変位し、２方向クラッチ１０は係合解除状態とされる。
【００４６】
２方向クラッチ１０の係合解除状態において、入力軸Ｓ１に回転トルクを入力して内輪１３を一方向に回転すると、保持プレート４６に形成された回り止め片４７が制御保持器１６Ａの柱部２８と回転保持器１６Ｂの柱部３４の一方を押圧するため、内輪１３と共に制御保持器１６Ａおよび回転保持器１６Ｂが回転する。このとき、対向一対のローラ１５は係合解除された中立位置に保持されているため、内輪１３の回転は外輪１１に伝達されず、内輪１３はフリー回転する。
【００４７】
内輪１３のフリー回転状態において、電磁コイル５３ａに対する通電を解除すると、アーマチュア５１は吸着が解除されて回転自在となる。その吸着解除により、弾性部材２１の押圧によって制御保持器１６Ａと回転保持器１６Ｂがポケット３７の周方向幅が大きくなる方向に相対回転し、対向一対のローラ１５のそれぞれが、図３に示すように、円筒面１２およびカム面１４に係合するスタンバイ状態とされ、その対向一対のローラ１５の一方を介して内輪１３と外輪１１の相互間で一方向の回転トルクが伝達される。
【００４８】
ここで、入力軸Ｓ１を停止して、その入力軸Ｓ１の回転方向を切換えると、他方のローラ１５を介して内輪１３の回転が外輪１１に伝達される。
【００４９】
このように、電磁コイル５３ａに対する通電の遮断により、制御保持器１６Ａと回転保持器１６Ｂがポケット３７の周方向幅が大きくなる方向に相対回転して、対向一対のローラ１５のそれぞれが円筒面１２およびカム面１４に直ちに噛み込むスタンバイ状態とされるため、回転方向ガタは小さく、内輪１３の回転を外輪１１に直ちに伝達することができる。
【００５０】
また、内輪１３から外輪１１への回転トルクの伝達は、カム面１４と同数のローラ１５を介して行われるため、内輪１３から外輪１１に大きな回転トルクを伝達することができる。
【００５１】
実施の形態で示すように、制御保持器１６Ａの保持器本体２２および柱部２８ならびに回転保持器１６Ｂの保持器本体３０および柱部３４のそれぞれをプレス成形品とすることによって、削り出しによって形成する場合に比較して製作が容易であり、コストの低減を図ることができる。
【００５２】
また、制御保持器１６Ａにおける柱部２８および回転保持器１６Ｂにおける柱部３４のそれぞれを左右対称の断面形状とすることにより、単一の柱部を制御保持器１６Ａおよび回転保持器１６Ｂに共通して使用することができることになり、部品点数の低減によってコストを大幅に低減することができる。
【００５３】
図１に示す実施の形態では、制御保持器１６Ａおよび回転保持器１６Ｂを、その柱部２８、３４が外輪１１と内輪１３間に位置し、軸方向で対向する環状板２３，３１が外輪１１とアーマチュア５１間に配置される組込みとしているため、外輪１１の軸方向長さのコンパクト化と軽量化とを図ることができる。
【００５４】
図１乃至図３に示す実施の形態においては、２方向クラッチ１０として、電磁石５３に対する通電により制御保持器１６Ａを軸方向に移動させて、その制御保持器１６Ａと回転保持器１６Ｂを相対回転させ、係合子としてのローラ１５を外輪１１の内周と内輪１３の外周に係合させるようにしたローラタイプのものを示したが、２方向クラッチはこれに限定されるものではなく、スプラグタイプのものであってもよい。
【符号の説明】
【００５５】
Ｓ１    入力軸
Ｓ２    出力軸
１１    外輪
１３    内輪
１５    ローラ（係合子）
１６Ａ  制御保持器
１６Ｂ  回転保持器
２１    弾性部材
２２    保持器本体
２３    環状板
２４    連結片
２５    円筒部
２８    柱部
３０    保持器本体
３１    環状板
３２    連結片
３４    柱部
３７    ポケット
４０    トルクカム(運動変換機構)
５０    電磁クラッチ
５１    アーマチュア
５２    ロータ
【図１】
2016044748.tif 000003
【図２】
2016044748.tif 000004
【図３】
2016044748.tif 000005
【図４】
2016044748.tif 000006
【図５】
2016044748.tif 000007
【図６】
2016044748.tif 000008
【図７】
2016044748.tif 000009
【図８】
2016044748.tif 000010
【図９】
2016044748.tif 000011
【図１０】
2016044748.tif 000012